(57)【要約】      （修正有）【課題】機械装置において、偏芯し対向している２軸の軸端間における回転伝動装置を提供する。【解決手段】偏芯し対向している２軸の軸端間における回転伝動装置として、左軸１の右端に左回転板２を取り付け、右軸３の左端に右回転板４を取り付け、両回転板２、４間を連結する機構を設け、左軸１の回転を右軸３に伝動するのに際し、２軸の軸受け間に偏心間隔調整機能を備え、および、両回転板２、４間を連結する機構において偏心間隔調整機能を備えて２軸の偏芯間隔の長短の変化に対応することが可能として、偏芯し対向している２軸の軸端間における回転伝動を行なう装置とする。【選択図】図１
0003220832.tif 000002
【実用新案登録請求の範囲】
【請求項１】
偏芯し対向している２軸の軸端間における回転伝動装置において、偏芯し対向している２軸（以下、偏芯し対向している２軸を２軸と記す）の一例として、左側の軸（以下、左側の軸を左軸と記す）と右側の軸（以下、右側の軸を右軸と記す）の２軸が左右に対向して、上下にｘｍｍ偏芯している場合において、左軸の右端に左側回転円板を取り付け、右軸の左端に右側回転円板を取り付け、左側回転円板と右側回転円板を連結して回転を伝動する機構の一例として、幅２０ｍｍ、厚さ１０ｍｍ、長さ、偏芯間隔ｘｍｍに２０ｍｍを加えた長さの伝動連結用平板の片方の左側面に左側伝動連結軸を設け、平板の他の片方の右側面に右側伝動結軸を設け、左側伝動連結軸と右側伝動連結軸の間隔はｘｍｍとし、左側伝動連結軸を左側回転円板に設けた軸受け穴にはめ合わせ、左側伝動連結軸と左側回転円板に設けた軸受け穴の間で回転可能とし、右側伝動連結軸を右側回転円板に設けた軸受け穴にはめ合わせ、右側伝動連結軸と右側回転円板に設けた軸受け穴の間で回転可能とし、一例として、左側回転円板と右側回転円板を連結して回転を伝動する機構を４機構備え、左軸の回転を右軸に伝動し、また、右軸の回転を左軸に伝動するにあたり、２軸の軸受け間の偏芯間隔調整構造を備え、また、伝動連結用平板に偏芯間隔調整構造を備えて２軸の偏芯間隔の長短の変化に応じて調整が可能な、偏芯し対向している２軸の軸端間における回転伝動装置
【考案の詳細な説明】
【技術分野】
【０００１】  回転軸、および、回転軸継手、ならびに、回転軸間の回転伝動に関する。
【背景技術】
【０００２】  従来、ユニバーサルジョイントにより偏芯軸間を接続している。その場合、偏芯間隔に限度がある。
【考案の概要】
【考案が解決しようとする課題】
【０００３】    偏芯し対向している２軸（以下、偏芯し対向している２軸を２軸と記す）の軸端間における回転伝動において、たとえば、直径４０ｍｍの２軸が３９ｍｍ偏芯している場合、ベルト、歯車、ローラーチェイン等を備えた中間軸を使用する等の必要がある。本考案は、前記、直径４０ｍｍの２軸が３９ｍｍ未満偏芯している場合においても、２軸間において回転伝動を行なうことを可能にすることを図る。
【考案を解決するための手段】
【０００４】  偏芯し対向している２軸の軸短間における回転伝動装置に関しての一例として、以後、２軸が左右に対向して上下に偏芯している場合について記すことにして、対向している左側の軸を左軸と記し、対向している右側の軸を右軸と記し、偏芯し対向している２軸を２軸と記す。そのように記すことにより、２５ｍｍ偏芯している場合において、左軸の右端に左側回転円板（以下、左側回転円板を左回転板と記す）を取り付け、左軸から２５ｍｍ偏芯した位置に右軸を設け、右軸の左端に右側回転円板（以下、右側回転円板を右回転板と記す）を取り付け、左回転板と右回転板を連結して回転を伝動する機構の一例として、幅２０ｍｍ、厚さ１０ｍｍ、長さ、偏芯間隔２５ｍｍに２０ｍｍを加え４５ｍｍの長さの伝動連結用平板（以下、伝動連結用平板を連結板と記す）の片方の左側面に左側伝伝動結軸（以下、左側伝動連結軸を左連結軸と記す）を設け、平板の他の片方の右側面に右側伝動連結軸（以下、右側伝動連結軸を右連結軸と記す）を設け、左連結軸と右連結軸の間隔は２５ｍｍとし、左連結軸を左回転板に設けた軸受け穴に回転可能にしてはめ合わせ、右連結軸を右回転板に設けた軸受け穴に回転可能にしてはめ合わせ、一例として、左回転板と右回転板を連結して回転を伝動する機構を４機構備え、左軸の回転を右軸に伝動し、また、右軸の回転を左軸に伝動するにおいて、２軸の軸受け間に偏心間隔調整機能を備え、また、連結板に偏心間隔調整機能を備えて２軸の偏芯間隔の長短の変化に対応することが可能である構造の、偏芯し対向している２軸の軸端間における回転伝動装置とする。
【考案の効果】
【０００５】  機械装置において偏芯対向している２軸間の回転の伝動を要する構造は多くある。
【図面の簡単な説明】
【０００６】  図面の簡単な説明を行うにあたり、２軸が左右に対抗し、上下に偏心した場合の図において、図１と図２は、本考案装置のケースと軸受けを省略した図である。
【図１】本考案装置における装置のケースと軸受けを省略した場合の正面図である。
【図２】図１を右から見た図であり、装置のケースと軸受けを省略した図である。
【図３】装置のケースと軸受けを含めた装置の正面図である。
【図４】装置のケースと軸受けを含めた装置の側面図である。
【図５】伝動連結用平板と連結軸間における偏心間隔調型図である。
【図６】図５の側面図である。
【考案を実施するための形態】
【０００７】  図１から図２において、左軸と右軸が上下に偏心し、左右に対向し、左右２軸の先端に回転版をとりつけ、左右の回転版間に回転を伝動する機構を設け、左右の回転板間において回転伝動を行ない、２軸間において回転伝動を行なう。このさい。２軸の偏芯間隔の長短の変化に応じた装置にする。
【実施例】
【０００８】  以下、本考案装置の実施例につき、図１から図５において、一例として、１の左軸の右端に２の直径１００ｍｍ、厚さ１０ｍｍの左回転板を取り付け、左軸から２５ｍｍ偏芯した位置に３の右軸を設け、右軸の左端に４の直径１００ｍｍ、厚さ１０ｍｍの右回転板を取り付け、左回転板と右回転板を連結して回転を伝動する機構の一例として、５の幅２０ｍｍ、厚さ１０ｍｍ、長さ、偏芯間隔２５ｍｍに２０ｍｍを加えて４５ｍｍの連結板の片方の左側面に６の直径１２ｍｍの左連結軸を設け、連結板の他の片方の右側面に７の直径１２ｍｍの右連結軸を設け、左連結軸と右連結軸の間隔を２５ｍｍとし、左連結軸を左回転板に設けた８の軸受け穴に回転可能にしてはめ合わせ、右連結軸を右回転円板に設けた９の軸受け穴に回転可能にしてはめ合わせ、一例として、左回転板と右回転板を連結して回転を伝動する機構を４機構備え、左軸の回転を右軸に伝導し、また、右軸の回転を左軸に伝動する。このさい、左連結軸と右連結軸に１０の座金と１１のＣ型止め輪を用いる。
このさい、１２は２軸受け間における偏芯間隔調整装置の一例としてのねじボルトである。１３は左連結軸と右連結軸の間隔を偏芯間隔に合わせて調整する装置の一例としてのネジボルトである。１４は装置のケースであり、１５は軸受け、１６はキー溝である。前記の各連結軸を各回転板に設け、連結板に対応穴を設けることが可能である。このようにして、偏芯し対向している２軸の軸端間における回転伝動装置とする。
【産業上の利用可能性】
【０００９】  機械装置において、偏芯対向している２軸間の回転の伝動を要する機構は多くある。そのなかで、ベルト、歯車、ローラーチェイン等を用いで２軸間での回転伝動が困難なことが多々ある。それらの問題に関する装置である。
【符号の説明】
【０００８】１  左側軸（左軸）
２  左回転板
３  右側軸（右軸）
４  右回転板
５  連結板
６  左連結軸
７  右連結軸
８  軸受け穴
９  軸受け穴
１０  座金
１１  Ｃ型止め輪
１２  偏芯間隔調整ねじボルト
１３  偏芯間隔調整ねじボルト
１４  装置ケース
１５  軸受け
１６  キー溝
【図１】
0003220832.tif 000003
【図２】
0003220832.tif 000004
【図３】
0003220832.tif 000005
【図４】
0003220832.tif 000006
【図５】
0003220832.tif 000007
【図６】
0003220832.tif 000008
【手続補正書】
【提出日】平成30年8月2日(2018.8.2)
【手続補正１】
【補正対象書類名】実用新案登録請求の範囲
【補正対象項目名】全文
【補正方法】変更
【補正の内容】
【実用新案登録請求の範囲】
【請求項１】
回転を行なう２本の軸を直列状態に配するさいに、２本の軸の中心軸芯が一直線の状態ではなく、２本の軸の中心軸芯が一定間隔（以後、一定間間隔を偏芯間隔と記す）離れた状態であり、２本の軸の軸端が相い向かい合う位置において２本の軸の軸端に各々回転板を付し、両方の回転板間に回転を伝動する連結板を設けて、２本の軸の間における回転を伝動する装置とするにあたり、その一例として、左側に配する軸を左側軸として左側軸の右端に左回転板を取り付け、左側軸から下方に偏芯間隔間、離れた位置に右側軸を配し、右側軸の左軸端に右回転板を取り付け、左回転板と右回転板の間で回転を伝動するにあたり、左回転板と右回転板を連結して回転を伝動する連結板４板設け、連結板の形状例として、幅３０ｍｍ、厚さ１２ｍｍ、長さ、偏芯間隔に３０ｍｍを加えた平板の片端の左側面に左側連結軸を設け、平板の他の端の右側面に右側連結軸を設け、左側連結軸と右側連結軸の間隔は偏芯間隔と同様にして、左連結軸を左回転板に設けた軸受け穴にはめ合わせ、左連結軸と左回転板に設けた軸受け穴の間で回転可能とし、右連結軸を右回転板に設けた軸受け穴にはめ合わせ、右連結軸と右回転板に設けた軸受け穴の間で回転可能として、左回転板と右回転板を連結して回転を伝動することを図る、回転を行なう２本の軸を直列状態に配するさいに、２本の軸の中心軸芯が一直線の状態ではなく、２本の軸の中心軸芯が偏芯間隔、離れた状態であり、２本の軸の軸端が相向かい合う位置において２本の軸の軸端に各々回転板を付し、両方の回転板間に回転を伝動する連結板を設けて、２本の軸の間における回転を伝動する装置
【手続補正２】
【補正対象書類名】明細書
【補正対象項目名】全文
【補正方法】変更
【補正の内容】
【考案の詳細な説明】
【技術分野】
【０００１】  回転軸、および、回転軸継手、ならびに、回転軸間の回転伝動に関する。
【背景技術】
【０００２】  従来、ユニバーサルジョイントにより偏芯軸間を接続している。その場合、偏芯間隔に限度がある。
【考案の概要】
【考案が解決しようとする課題】
【０００３】回転を行う２本の軸の軸端間における回転伝動装置において、たとえば、直径４０ｍｍの２軸が３９ｍｍ偏芯している場合、ベルト、歯車、ローラーチェイン等を備えた中間軸を使用する等の必要がある。本考案は、前記、直径４０ｍｍの２軸が３９ｍｍ未満偏芯している場合においても、２軸間において回転伝動を行なうことを可能にすることを図る。
【考案を解決するための手段】
【０００４】回転を行う左側軸と右側軸を直列に配し、２本の軸の軸端が向き合い、左側軸の下方に右側軸の偏芯間隔が２５ｍｍの場合において、左軸の右端に左回転板を取り付け、右軸の左端に右回転円板を取り付け、左回転板と右回転板を連結して回転を伝動する連結板を一例として４板設け、連結板は、幅２０ｍｍ、厚さ１０ｍｍ、長さ、２本の軸の偏芯間隔２５ｍｍに２０ｍｍを加え４５ｍｍの長さの連結板の片方の左側面に左連結を設け、連結板の他の片方の右側面に右連結軸を設け、左連結軸と右連結軸の間隔は２５ｍｍとし、左連結軸を左回転板に設けた軸受け穴に回転可能にしてはめ合わせ、右連結軸を右回転板に設けた軸受け穴に回転可能にしてはめ合わせ、左側軸の回転を右側軸に伝動し、また、右側軸の回転を左側軸に伝動する。そのさい、２本の軸が並列に配されている場合においても、２本の軸間における回転伝動は可能である。なお、本装置に、２軸間における偏芯間隔調整機能をくわえることが可能である。
【考案の効果】
【０００５】  機械装置において２本の軸の間におる回転の伝動を要する構造は多くある。
【図面の簡単な説明】
【０００６】  図面の簡単な説明を行うにあたり、２軸を左右を配し、上下に離れている場合の図において、図１と図２は、本考案装置のケースと軸受けを省略した図である。
【図１】本考案装置における装置のケースと軸受けを省略した場合の正面図である。
【図２】図１を右から見た図であり、装置のケースと軸受けを省略した図である。
【図３】装置のケースと軸受けを含めた装置の正面図である。
【図４】装置のケースと軸受けを含めた装置の側面図である。
【図５】伝動連結用平板と連結軸間における偏心間隔調型図である。
【図６】図５の側面図である。
【考案を実施するための形態】
【０００７】  図１から図２において、左軸と右軸を左右に配し、左右の軸の軸端が向かい合い、左右の軸が上下に離れ、左右に向かい合い、左右の軸の先端に回転版をとりつけ、左右の回転版間に回転を伝動する機構・連結板を設け、左右の回転板間において回転伝動を行ない、左右の軸間において回転伝動を行なう。このさい。左右軸の偏芯間隔の長短の変化に応じた装置をくわえることが可能である。
【実施例】
【０００８】  以下、本考案装置の実施例につき、図１から図５において、一例として、１の左軸の右端に２の直径１００ｍｍ、厚さ１０ｍｍの左回転板を取り付け、左軸から２５ｍｍ偏芯した位置に３の右軸を設け、右軸の左端に４の直径１００ｍｍ、厚さ１０ｍｍの右回転板を取り付け、左回転板と右回転板を連結して回転を伝動する機構の一例として、５の幅２０ｍｍ、厚さ１０ｍｍ、長さ、偏芯間隔２５ｍｍに２０ｍｍを加えて４５ｍｍの連結板の片方の左側面に６の直径１２ｍｍの左連結軸を設け、連結板の他の片方の右側面に７の直径１２ｍｍの右連結軸を設け、左連結軸と右連結軸の間隔を２５ｍｍとし、左連結軸を左回転板に設けた８の軸受け穴に回転可能にしてはめ合わせ、右連結軸を右回転円板に設けた９の軸受け穴に回転可能にしてはめ合わせ、一例として、左回転板と右回転板を連結して回転を伝動する機構を４機構備え、左軸の回転を右軸に伝導し、また、右軸の回転を左軸に伝動する。このさい、左連結軸と右連結軸に１０の座金と１１のＣ型止め輪を用いる。このさい、１２は２軸受け間における左右の軸間の偏芯間隔調整装置の一例としてのねじボルトである。１３は左連結軸と右連結軸の間隔をの右の軸芯の偏芯間隔に合わせて調整する装置の一例としてのネジボルトである。１４は装置のケースであり、１５は軸受け、１６はキー溝である。前記の各連結軸を各回転板に設け、連結板に対応穴を設けることが可能である。このようにして、左右の軸が相離れ間隔をおいて、向き合っている２軸の軸端間における回転伝動装置とする。
【産業上の利用可能性】
【０００９】  機械装置において、２本の回転軸が偏芯間隔離れ、軸端が向かい合っている２軸間の回転の伝動を要する機構は多くある。そのなかで、ベルト、歯車、ローラーチェイン等を用いで２軸間での回転伝動が困難なことが多々ある。それらの問題に関する装置である。
【符号の説明】
【０００８】１  左側軸（左軸）
２  左回転板
３  右側軸（右軸）
４  右回転板
５  連結板
６  左連結軸
７  右連結軸
８  軸受け穴
９  軸受け穴
１０  座金
１１  Ｃ型止め輪
１２  偏芯間隔調整ねじボルト
１３  偏芯間隔調整ねじボルト
１４  装置ケース
１５  軸受け
１６  キー溝
【手続補正書】
【提出日】平成30年11月6日(2018.11.6)
【手続補正１】
【補正対象書類名】実用新案登録請求の範囲
【補正対象項目名】全文
【補正方法】変更
【補正の内容】
【実用新案登録請求の範囲】
【請求項１】
２本の軸の間における回転を伝動する装置において、２本の軸を直列状態に配し、２本の軸の中心軸芯が一直線の状態ではなく、２本の軸の中心軸芯が上下または左右および斜めに一定間隔（以後、一定間間隔を偏芯間隔と記す）離れた状態における、そのうちの上下に離れた場合について、２本の軸の軸端が相い向かい合う位置において２本の軸の軸端に各々回転板を付し、両方の回転板の間に回転を伝動する連結板と連結軸を設けて、２本の軸の間における回転を伝動する装置とするにあたり、２本の軸を直列状態に左右に配するさいに、左側に配する軸を左側軸として左側軸の右端に左回転板を取り付け、左側軸から下方に偏芯間隔の間、離れた位置に右側軸を配し、右側軸の左軸端に右回転板を取り付け、左回転板と右回転板の間で回転を伝動するにあたり、左回転板と右回転板を連結して回転を伝動する連結板と連結軸を設けるにさいし、連結板と連結軸の形状と大きさは本装置における回転数の多少および、回転により伝動を行う動力の大小に応じた形状と大きさが必要であるが、その一例として、連結板の大きさの概要として、幅３０ｍｍ、厚さ１２ｍｍ、長さ、偏芯間隔に３０ｍｍを加えた平板を連結板として、その片端の左側面に左側連結軸を設け、平板の他の端の右側面に右側連結軸を設け、左側連結軸と右側連結軸の間隔は偏芯間隔と同様にして、左連結軸を左回転板に設けた軸受け穴にはめ合わせ、左連結軸と左回転板に設けた軸受け穴の間で回転可能とし、右連結軸を右回転板に設けた軸受け穴にはめ合わせ、右連結軸と右回転板に設けた軸受け穴の間で回転可能として、左回転板と右回転板を連結して回転を伝動することを図り、回転を行なう２本の軸を直列状態に配するさいに、２本の軸の中心軸芯が一直線の状態ではなく、２本の軸の中心軸芯が偏芯間隔、離れた状態であり、２本の軸の軸端が相向かい合う位置において２本の軸の軸端に各々回転板を付し、両方の回転板間に回転を伝動する連結板と連結軸を設けて、２本の軸の間における回転を伝動する装置。
【手続補正書】
【提出日】平成31年1月29日(2019.1.29)
【手続補正１】
【補正対象書類名】実用新案登録請求の範囲
【補正対象項目名】全文
【補正方法】変更
【補正の内容】
【実用新案登録請求の範囲】
【請求項１】
２本の軸の間における回転を伝動する装置において、２本の軸を直列状態に配し、２本の軸の中心軸芯が一直線の状態ではなく、２本の軸の中心軸芯が上下または左右および斜めに一定間隔（以後、一定間間隔を偏芯間隔と記す）離れた状態における、上下に離れた場合について、２本の軸の軸端が相い向かい合う位置において２本の軸の軸端に各々回転板を付し、両方の回転板の間に回転を伝動する連結板と連結軸を設けて、２本の軸の間における回転を伝動する装置とするにあたり、２本の軸を直列状態に左右に配するさいに、左側に配する軸を左側軸として左側軸の右端に左回転板を取り付け、左側軸から下方に偏芯間隔の間、離れた位置に右側軸を配し、右側軸の左軸端に右回転板を取り付け、左回転板と右回転板の間で回転を伝動するにあたり、左回転板と右回転板を連結して回転を伝動する連結板と連結軸を設けるにさいし、連結板と連結軸の形状と大きさは本装置における回転数の多少および、回転により伝動を行う動力の大小に応じた形状と大きさが必要であるが、連結板の大きさの概要として、幅３０ｍｍ、厚さ１２ｍｍ、長さ、偏芯間隔に３０ｍｍを加えた平板を連結板として、その片端の左側面に左側連結軸を設け、平板の他の端の右側面に右側連結軸を設け、左側連結軸と右側連結軸の間隔は偏芯間隔と同様にして、左連結軸を左回転板に設けた軸受け穴にはめ合わせ、左連結軸と左回転板に設けた軸受け穴の間で回転可能とし、右連結軸を右回転板に設けた軸受け穴にはめ合わせ、右連結軸と右回転板に設けた軸受け穴の間で回転可能として、左回転板と右回転板を連結して回転を伝動することを図り、回転を行なう２本の軸を直列状態に配するさいに、２本の軸の中心軸芯が一直線の状態ではなく、２本の軸の中心軸芯が偏芯間隔、離れた状態であり、２本の軸の軸端が相向かい合う位置において２本の軸の軸端に各々回転板を付し、両方の回転板間に回転を伝動する連結板と連結軸を設けて、２本の軸の間における回転を伝動する装置。